(57)【要約】      （修正有）【課題】被施術者に不快感を感じさせない健康器具を提供する。【解決手段】健康器具１は、背もたれ３と、複数の施術部と、膨張実行部７とを有し、一または複数の施術部は、被施術者の背面のうち、被施術者の第三腰椎から第四腰椎までの間に位置する施術中心点、及び、施術中心点から左右方向に等距離の位置にそれぞれ位置する等距離点の少なくとも一方を中心とする所定範囲に対向する一または複数の設置位置に設置され、収縮時に施術中心点または等距離点に対向する部分に位置する対向部分が、膨張時に他の部分よりも大きく膨張する形状に形成され、背もたれの内部に設置された基礎部材上に載置されるとともに、対向部分の上方側の縁部が、背もたれに固定されている。【選択図】図１
2017093508.tif 000002
【特許請求の範囲】
【請求項１】
座位の被施術者の背を支える背もたれと、
前記背もたれに設置され、被施術者の背が触れる背もたれ面を形成する平面形状に形成された一または複数の施術部と、
前記施術部を膨張させる膨張実行部と、
を有し、
一または複数の前記施術部は、
被施術者の背面のうち、被施術者の第三腰椎から第四腰椎までの間に位置する施術中心点、及び、前記施術中心点から左右方向に等距離の位置にそれぞれ位置する等距離点の少なくとも一方を中心とする所定範囲に対向する一または複数の設置位置に設置され、
収縮時に前記施術中心点または前記等距離点に対向する部分に位置する対向部分が、膨張時に他の部分よりも大きく膨張する形状に形成され、
前記背もたれの内部に設置された基礎部材上に載置されるとともに、前記対向部分の上方側の縁部が、前記背もたれに固定されている健康器具。
【請求項２】
請求項１に記載の健康器具において、
一または複数の前記設置位置には、複数の前記施術部が前記基礎部材上に重ねて設置されている健康器具。
【請求項３】
請求項１又は請求項２に記載の健康器具において、
それぞれの前記等距離点に対向するそれぞれの前記設置位置に設置されたそれぞれの前記施術部が、施術中心点側に向かって内側に傾けて設置されている健康器具。
【請求項４】
請求項１〜３のいずれか一項に記載された健康器具において、
前記施術部はエアバックで構成され、前記膨張実行部は前記エアバックに空気を送るポンプである健康器具。
【請求項５】
請求項１〜４のいずれか１項に記載の健康器具において、
前記施術部は、収縮時、円形に形成されたものである健康器具。
【請求項６】
請求項１〜５のいずれか１項に記載の健康器具において、
前記施術部と前記基礎部材との間に備えられ、前記施術部の膨張時に前記施術部が前記基礎部材を押して前記基礎部材が変形することを抑止する変形抑止部を備えている健康器具。
【請求項７】
請求項１〜６のいずれか１項に記載の健康器具において、
座位の被施術者が腰を載せる座部を備え、
前記座部は、
被施術者の骨盤の座骨結節点を囲う位置に設けられた骨組部と、
前記被施術者が前記骨組部に当たることを抑止する、クッション性を有するクッション部とを備える健康器具。
【発明の詳細な説明】
【技術分野】
【０００１】
本発明は、健康器具に関する。
【背景技術】
【０００２】
背もたれにもたれた被施術者の背中を、背もたれに設けられた押圧部が前方側に向かって押して、被施術者の背中をストレッチする健康器具がある。この健康器具は、被施術者の背中が押されることにより被施術者の背中が曲がるので、この曲げによって被施術者の背をストレッチしている。被施術者は、この曲げによるストレッチの効果により心地よさを感じることができる。
【発明の概要】
【発明が解決しようとする課題】
【０００３】
しかし、この健康器具は、用い方によっては、被施術者の背中が前方に押されたとき、押下点から下の部分が、下方に向かって押しつけられる虞があった。このように押しつけられると、被施術者は、不快感を覚える可能性があった。
【０００４】
本発明では、被施術者に不快感を感じさせない健康器具を提供することを目的とする。
【課題を解決するための手段】
【０００５】
請求項１に記載の発明に係る健康器具は、
座位の被施術者の背を支える背もたれと、
前記背もたれに設置され、被施術者の背が触れる背もたれ面を形成する平面形状に形成された一または複数の施術部と、
前記施術部を膨張させる膨張実行部と、
を有し、
一または複数の前記施術部は、
被施術者の背面のうち、被施術者の第三腰椎から第四腰椎までの間に位置する施術中心点、及び、前記施術中心点から左右方向に等距離の位置にそれぞれ位置する等距離点の少なくとも一方を中心とする所定範囲に対向する一または複数の位置に設置され、
収縮時に前記施術中心点または前記等距離点に対向する部分に位置する対向部分が、膨張時に他の部分よりも大きく膨張する形状に形成され、
前記背もたれの内部に設置された基礎部材上に載置されるとともに、前記対向部分の上方側の縁部が、前記基礎部材、または、前記基礎部材を除く前記背もたれに固定されている。
【０００６】
これによると、施術部は、基礎部材上に載置され、かつ、対向部分の上方側の縁部を支点に固定されているので、膨張させると、縁部を支点に被施術者の背中側でありかつ上方側に向かって回転するように膨張する。
【０００７】
また、収縮時に施術中心点または等距離点に対向する部分に位置する対向部分が、膨張時に他の部分よりも大きく膨張する形状に形成されているので、施術部を膨張させると、対向部分が、縁部を支点に被施術者の背中側でありかつ上方側に向かって回転するように移動する。
【０００８】
そして、施術部が、施術中心点や等距離点に対向する位置に設置されているので、施術部が膨張すると、被施術者は、第三腰椎や第四腰椎が前方に押されつつ上方に持ち上げられる。
【０００９】
したがって、この健康器具を用いると、施術者は、押下点（施術中心点や等距離点）から下の部分、すなわち、第三腰椎や第四腰椎より下の部分が、下方に向かって押しつけられることなく、背をストレッチすることができる。
【００１０】
しかも、この健康器具を用いると、施術者は、第三腰椎や第四腰椎が持ち上げられるので、第三腰椎や第四腰椎より下の部分についてもストレッチすることができる。
なお、基礎部材は、人の背を支える基礎となる部材で、例えばクッション部材や、骨組みなどである。
【００１１】
健康器具は、一または複数の設置位置に、複数の施術部が基礎部材上に重ねて設置されていてもよい。
このようにすると、被施術者側の施術部が、基礎部材側の施術部に押されて被施術者側に押し出されるので、被施術者の背中に接する施術部の対向部分を、設置位置に施術部を一つしか備えていない場合に比べて、被施術者の背中側に大きく押し出すことができる。
【００１２】
したがって、この健康器具を用いると、設置位置に施術部を一つしか備えていない場合に比べ、被施術者をストレッチすることができる。
健康器具は、施術部については、それぞれの等距離点に対向するそれぞれの設置位置に設置されたそれぞれの施術部が、施術中心点側に向かって内側に傾けて設置されていてもよい。
【００１３】
このようにすると、被施術者を安定して持ち上げることができるので、被施術者に対して安定したストレッチが行われる。
健康器具は、施術部にエアバックを用いている場合、膨張実行部にはエアバックに空気を送るポンプを用いてもよい。なお、施術部には、お湯等の液体を注入してもよい。この場合膨張実行部は、お湯を施術部に送ることができるポンプを用いてもよい。
【００１４】
健康器具は、施術部としては、収縮時、円形となるものを用いてもよい。
健康器具は、施術部と基礎部材との間に備えられ、施術部の膨張時に施術部が基礎部材を押して基礎部材が変形することを抑止する変形抑止部を備えていてもよい。
【００１５】
このようにすると、施術部が基礎部材側に膨張することが抑止され、施術部が膨張することによって被施術者にかかる力が逃げないので、被施術者を効果的にストレッチすることができる。
【００１６】
健康器具は、座位の被施術者が腰を載せる座部を備え、座部は、被施術者の骨盤の座骨結節点を囲う位置に設けられた骨組部と、被施術者が骨組部に当たることを抑止する、クッション性を有するクッション部とを備える。
【００１７】
この健康器具によると、被施術者が座部に腰を下ろしたとき、座骨結節点が位置する部分が沈んで、被施術者の腰の位置を安定させるので、被施術者を適切な位置でストレッチすることができる。
【００１８】
また、これによると、被施術者が骨組部に載ることで、背もたれ部が倒れることが抑止され、また、クッション部を介して被施術者が骨組部に乗ることで、骨組部が被施術者に直接当たってしまうことが抑止される。
【００１９】
なお、クッション部は、被施術者の座骨結節点が当たる部分を窪ませた形状としてもよい。
【図面の簡単な説明】
【００２０】
【図１】図１Ａは、実施形態の健康器具の正面図である。図１Ｂは、実施形態の健康器具の平面図である。図１Ｃは、実施形態の健康器具の右側面図である。
【図２】図２Ａは、実施形態の健康器具を正面から見た透過図である。図２Ｂは、実施形態の健康器具を上方からみた透過図である。
【図３】図３Ａは、図２ＡのＩＩＩＡ−ＩＩＩＡ断面図である。図３Ｂは、図２ＡのＩＩＩＢ−ＩＩＩＢ断面図である。図３Ｃは、図３Ｂと同じ断面で実施形態の健康器具を切断した断面図であって、施術部が膨張したときの図面である。
【図４】図４Ａは、人の背骨の背面図である。図４Ｂは、人の骨盤の背面図である。
【発明を実施するための形態】
【００２１】
以下に本発明の例示的な実施形態について図面を参照しながら説明する。
本実施形態の健康器具１は、図１Ａ〜図１Ｃに示すように、座椅子形状に形成されており、座位の被施術者の背を支える背もたれ３と、座位の被施術者が腰を載せる座部５とを備えている。また、背もたれ３には、左右に並んで設置されたエアバック７が設置されている。
【００２２】
健康器具１の背もたれ３及び座部５は、図２Ａ〜図２Ｂに示すように、パイプで構成された骨組部３０、５０を備えている。これら骨組部３０，５０は連接されている。
座部５の骨組部５０は、背もたれ３の骨組部３０の下端から正面方向側に向かって延設されるとともに、座部５に座った被施術者の２つの座骨結節点ε（図４Ｂ参照）を囲う形状に形成されている。
【００２３】
また、健康器具１は、背もたれ３の内部に、エアバック７対して空気を注入すること、及び、エアバック７から空気を排出することが可能なエア排出バルブ付きのポンプ８を備えている。このポンプ８は、図示しないスイッチが操作されると、図示しない制御装置によりエアバック７に対して定期的に空気の注入及び排出を繰り返す。
【００２４】
図３Ａに示すように、背もたれ３は、骨組部３０の正面側にクッション部材３２を備えている。
図３Ｃに示すように、座部５は、骨組部５０の上面側にクッション部材５２を備えている。このクッション部材５２は、座部５に座った被施術者の座骨結節点ε（図４Ｂ参照）が位置する部分を窪ませた窪部５４を有する形状に形成されている。
【００２５】
次に、エアバック７が設置される位置を、図４Ａを用いて説明する。
被施術者の背骨９は、上方から第１腰椎から第６腰椎までの６つの腰椎を有している（図４Ａでは、第６腰椎は記載されていない）。本実施形態では、座部５に腰を載せて座った被施術者の背面のうち、被施術者の第三腰椎９３から第四腰椎９４までの間（符号αで示す部分）のいずれかの位置を施術中心点βとしている。本実施形態では、第三腰椎９３の中心部分を施術中心点βとしているが、これに限るものではない。
【００２６】
エアバック７は、この施術中心点βから左右方向に等距離の位置にそれぞれ位置する等距離点γを中心とする所定範囲（エアバック７の大きさに相当する範囲）に対向する各設置位置に設置されている。
【００２７】
エアバック７は、図３Ａに示すように、背もたれ３の内部に備えるクッション部材３２上に設置された樹脂製の変形抑止板３４上に載せられるとともに、対向部分δの上方側の縁部７０が、変形抑止板３４に固定された状態で設置されている。また、各設置位置には、図３Ｂに示すように、２枚のエアバック７が重ねて設置されている。また、エアバック７は、図２Ｂに示すように、各設置位置で、施術中心点β側に向かって内側に傾けて設置されている。
【００２８】
エアバック７は、図１Ａに示すように、収縮時、円形の平面形状となるが、このとき、エアバック７は、図３Ａに示すように、クッション部材３２とともに被施術者の背が触れる背もたれ面を形成する。
【００２９】
エアバック７は、図１Ａ中に示す円の中心部分であって、収縮時に等距離点γに対向する部分に位置する対向部分δが、図３Ｂに示すように、膨張時に他の部分よりも大きく膨張する形状に形成されている。
【００３０】
以上のように構成された健康器具１は、次のような特徴的な作用効果を奏する。
エアバック７は、クッション部材３２に設置された変形抑止板３４上に載置され、かつ、対向部分δの上方側の縁部７０を支点に固定されているので、膨張させると、図３Ａ及び図３Ｂに示すように、縁部７０を支点に被施術者の背中側でありかつ上方側に向かって回転するように膨張する。
【００３１】
また、エアバック７は、収縮時に等距離点γに対向する部分に位置する対向部分δが、膨張時に他の部分よりも大きく膨張する形状に形成されているので、エアバック７を膨張させると、対向部分δが、縁部７０を支点に被施術者の背中側でありかつ上方側に向かって回転するように移動する。
【００３２】
そして、エアバック７が、等距離点γに対向する位置に設置されているので、エアバック７が膨張すると、被施術者は、第三腰椎９３や第四腰椎９４が前方に押されつつ上方に持ち上げられる。
【００３３】
したがって、この健康器具１を用いると、施術者は、押下点（等距離点γ）から下の部分、すなわち、第三腰椎９３や第四腰椎９４より下の部分が、下方に向かって押しつけられることなく、背をストレッチすることができる。
【００３４】
しかも、この健康器具１を用いると、施術者は、第三腰椎９３や第四腰椎９４が持ち上げられるので、第三腰椎９３や第四腰椎９４より下の部分についてもストレッチすることができる。このようなストレッチを受けると、被施術者は、骨盤後傾や腰椎の後弯を随意的でなく他動的に行うことができるので、筋の血行や滑走不全を改善することができる。
【００３５】
また、本実施形態の健康器具１は、それぞれの位置で、複数のエアバック７が重ねて設置されているため、被施術者側のエアバック７が、クッション部材３２側のエアバック７に押されて被施術者側に押し出される。そのため、本実施形態の健康器具１は、被施術者の背中に接するエアバック７の対向部分δを、設置位置にエアバック７を一つしか備えていない場合に比べて、被施術者の背中側に大きく押し出すことができる。
【００３６】
したがって、この健康器具１を用いると、設置位置にエアバック７を一つしか備えていない場合に比べ、被施術者を強くストレッチすることができる。
また、本実施形態の健康器具１は、エアバック７については、それぞれの等距離点γに対向するそれぞれの設置位置に設置されたそれぞれのエアバック７が、施術中心点β側に向かって内側に傾けて設置されているので、被施術者を安定して持ち上げることができ、被施術者に対して安定したストレッチが行われる。
【００３７】
本実施形態の健康器具１は、エアバック７とクッション部材３２との間に変形抑止板３４が備えられ、この変形抑止板３４により、エアバック７の膨張時にエアバック７がクッション部材３２を押してクッション部材３２が変形することを抑止している。
【００３８】
そのため、エアバック７がクッション部材３２側に膨張することが抑止され、エアバック７が膨張することによって被施術者にかかる力が逃げないので、被施術者を効果的にマッサージすることができる。
【００３９】
本実施形態の健康器具１は、座位の被施術者が腰を載せる座部５を備え、座部５は、被施術者の骨盤の座骨結節点ε（図４Ｂ参照）を囲う位置に設けられた骨組部５０と、被施術者が骨組部５０に当たることを抑止する、クッション性を有するクッション部材５２とを備える。また、クッション部材５２は、被施術者の座骨結節点εが当たる部分を窪ませた窪部５４を有する形状に形成されている。
【００４０】
この健康器具１によると、被施術者が腰が窪部５４に嵌るように、すなわち、窪部５４内に座骨結節点εが位置するように座部５に腰を下ろしたとき、窪部５４がさらに窪んで、被施術者の腰の位置を安定させるので、被施術者を適切な位置でストレッチすることができる。
【００４１】
また、これによると、被施術者が骨組部５０に載ることで、背もたれ３が倒れることが抑止され、また、クッション部材５２を介して被施術者が骨組部５０に乗ることで、骨組部５０が被施術者に直接当たってしまうことが抑止される。
【００４２】
本実施形態の健康器具１と、本発明の健康器具との対応関係について説明する。
本実施形態のエアバック７は、本発明の施術部に相当する。本実施形態の変形抑止板３４は、本発明の変形抑止部に相当する。本実施形態のポンプ８は、本発明の膨張実行部に相当する。本実施形態のクッション部材３２は、本発明の基礎部材に相当する。
【００４３】
以下、他の実施形態について説明する。
（１）上記実施形態で説明した健康器具１はあくまでも一例であり、これに限定されるものではない。
（２）上記実施形態では、各等距離点γに対向する位置にエアバック７を設置した例について説明したが、施術中心点βに対向する位置のみにエアバック７を設置するようにしてもよい。また、各等距離点γだけでなく、施術中心点βにもエアバック７を設置してもよい。
（３）上記実施形態では、各等距離点γに対向する位置に、エアバック７を２つずつ重ねて設置したが、エアバック７は各等距離点γに一つずつ設置してもよいし、３つ以上重ねて設置してもよい。
（４）上記実施形態では、エアバック７を用いたが、これに代えて、お湯等で膨らむ袋を設置し、この袋に対しお湯を出し入れするようにしてもよい。
（５）上記実施形態では、座椅子形状の健康器具１を説明したが、椅子形状に形成されていてもよいし、背もたれ３だけで単独で形成されていてもよい。
（６）本発明の各構成要素は概念的なものであり、上記実施形態に限定されない。例えば、１つの構成要素が有する機能を複数の構成要素に分散させたり、複数の構成要素が有する機能を１つの構成要素に統合したりしてもよい。また、上記実施形態の構成の少なくとも一部を、同様の機能を有する公知の構成に置き換えてもよい。また、上記実施形態の構成の少なくとも一部を、他の上記実施形態の構成に対して付加、置換等してもよい。
【符号の説明】
【００４４】
１…健康器具、３…背もたれ、５…座部、７…エアバック、８…ポンプ、９…背骨、
３０…骨組部、３２…クッション部材、３４…変形抑止板、５０…骨組部、
５２…クッション部材、５４…窪部、７０…縁部、９３…第三腰椎、９４…第四腰椎。
【図１】
2017093508.tif 000003
【図２】
2017093508.tif 000004
【図３】
2017093508.tif 000005
【図４】
2017093508.tif 000006